(57)【要約】【課題】多くの情報の中から所定の情報を効率的に見ることができるようにする。【解決手段】「おこのみコース」（自動再生）のモードが指令されたとき、予め登録されているジャンルの各記事が重要度に対応する順位で自動的に順次表示される。「おすすめコース」（しおり再生）のモードが指定された場合においては、各ジャンル毎に個々に指定された記事だけが自動的に読み出され、順次表示される。本発明は、マルチメディアデータを受信して表示するデータ受信装置に適用することができる。【選択図】図９
2006331431.tif 000002
【特許請求の範囲】
【請求項１】
所定の情報を伝送路を介して伝送し、伝送した前記情報を受信装置で受信し、前記受信装置で受信した前記情報を記録媒体に記録し、前記記録媒体に記録した情報を表示装置に表示する情報表示方法において、
複数の前記情報の見出しを表示し、
前記見出しの中から所定のものを所定の数だけ指定し、
指定された前記情報を自動的に順次表示する
ことを特徴とする情報表示方法。
【請求項２】
前記情報にはジャンルが付属され、前記ジャンル毎に前記情報の指定が行われる
ことを特徴とする請求項１に記載の情報表示方法。
【請求項３】
指定された前記情報を自動的に順次再生している状態において、前または後の前記情報の表示が指令されたとき、表示中の前記情報より前または後の前記情報を表示した後、指定された前記情報を自動的に順次表示する状態に戻る
ことを特徴とする請求項２に記載の情報表示方法。
【請求項４】
指定された前記情報を自動的に順次再生している状態において、より詳細な前記情報の表示が指令されたとき、表示中の前記情報のより詳細な前記情報を表示した後、指定された前記情報を自動的に順次表示する状態に戻る
ことを特徴とする請求項２または３に記載の情報表示方法。
【請求項５】
指定された前記情報を自動的に順次再生している状態において、前記情報の見出しの表示が指令されたとき、前記情報の見出しを表示し、
前記情報の見出しが表示されている状態において、前記情報の所定のものが個別に指定されたとき、指定された前記情報を表示した後、前記情報を自動的に順次再生する状態に戻る
ことを特徴とする請求項２，３または４に記載の情報表示方法。
【請求項６】
指定された前記情報を自動的に順次再生している状態において、前記情報の見出しの表示が指令されたとき、前記情報の見出しを表示し、
前記情報の見出しが表示されている状態において、前記情報の属するジャンルが指定されたとき、指定された前記ジャンルの前記見出しを表示し、
指定された前記情報の見出しが表示されている状態において、前記情報の所定のものが個別に指定されたとき、指定された前記情報を表示した後、指定された前記情報を自動的に順次再生する状態に戻る
ことを特徴とする請求項５に記載の情報表示方法。
【請求項７】
所定の情報を伝送路を介して伝送し、伝送した前記情報を受信装置で受信し、前記受信装置で受信した前記情報を記録媒体に記録し、前記記録媒体に記録した情報を表示装置に表示する情報表示方法において、
前記情報に重要度を付属させ、
所定のモードが指令されたとき、前記情報を前記重要度に対応する順番で自動的に順次再生し、
前記情報を前記重要度に対応する順番で自動的に順次再生している状態において、より詳細な情報の表示が指令されたとき、表示中の前記情報のより詳細な情報を表示する
ことを特徴とする情報表示方法。
【請求項８】
前記情報を前記重要度に対応する順番で自動的に順次再生している状態において、前または後の前記情報の表示が指令されたとき、表示中の前記情報より前または後の前記情報を表示する
ことを特徴とする請求項７に記載の情報表示方法。
【請求項９】
前記情報を前記重要度に対応する順番で自動的に順次再生している状態において、より詳細な前記情報の表示が指令されたとき、表示中の前記情報のより詳細な前記情報を表示した後、前記重要度に対応する順番で前記情報を自動的に順次表示する状態に戻る
ことを特徴とする請求項７または８に記載の情報表示方法。
【請求項１０】
前記情報を前記重要度に対応する順番で自動的に順次再生している状態において、前記情報の見出しの表示が指令されたとき、前記情報の見出しを表示し、
前記情報の見出しが表示されている状態において、前記情報の所定のものが個別に指定されたとき、指定された前記情報を表示した後、前記情報を前記重要度に対応する順番で自動的に順次再生する状態に戻る
ことを特徴とする請求項７，８または９に記載の情報表示方法。
【請求項１１】
前記情報を前記重要度に対応する順番で自動的に順次再生している状態において、前記情報の見出しの表示が指令されたとき、前記情報の見出しを表示し、
前記情報の見出しが表示されている状態において、前記情報の属するジャンルが指定されたとき、指定された前記ジャンルの前記見出しを表示し、
指定されたジャンルの前記情報の見出しが表示されている状態において、前記情報の所定のものが個別に指定されたとき、指定された前記情報を表示した後、前記情報を前記重要度に対応する順番で自動的に順次再生する状態に戻る
ことを特徴とする請求項７乃至１０のいずれかに記載の情報表示方法。
【請求項１２】
前記情報は、マルチメディア化されたニュース記事である
ことを特徴とする請求項１乃至１１のいずれかに記載の情報表示方法。
【発明の詳細な説明】
【技術分野】
【０００１】
本発明は、例えば新聞、雑誌、書籍などの刊行物のデータ、あるいは広告のデータなどを電子的に配信する場合に用いて好適な情報表示方法に関する。
【背景技術】
【０００２】
ニュース提供の方法として、現在最も普及しているのは、新聞とテレビである。新聞のニュースは必ずしも最新のニュースではないという欠点がある。一方、テレビのニュースは、自分の見たい時間に必ずしも放送されていないという欠点がある。さらに、テレビのニュースは、たとえ自分の見たいニュースが１つしかなくとも、そのニュースになるまで、関心の無いニュースでも見続けないと、自分の見たいニュースを見ることが出来ないという欠点がある。
【０００３】
時間が不規則で、しかも自由に使える時間が少ない人が増える状況にあって、真夜中、あるいは早朝の様な、テレビの放映時間も終わっている時間でも、自分の必要な時に、各ユーザにとっての関心のある最新のニュースだけを、５分間、あるいは１０分間というような決められた短時間の中で、わかりやすく説明してほしいというニーズが出てきた。
【０００４】
本件出願人は、このような状況に鑑み、例えば、新聞などのデータ（新聞データ）を電子的に配信するデータ放送システムとして、衛星のデータチャンネルに、新聞データを挿入し、これを衛星を介して伝送することを、例えば特願平５−１１６４８０号として、先に出願している。
【０００５】
このシステムにおいて、新聞データの受信を契約した、例えば各家庭（契約者側）におけるデータ受信装置では、衛星からの信号が受信され、データチャンネルに挿入された新聞データが取り出される。そして、この新聞データは、例えば磁気ディスクや光磁気ディスクなどの記録媒体に記録され、真夜中でも早朝でも契約者が希望する時間に、所望するものがそこから検索される。検索された新聞データは、例えばディスプレイなどに表示され、あるいはプリントアウトされ、これにより契約者は、新聞を見ることができるようになされている。
【発明の開示】
【発明が解決しようとする課題】
【０００６】
ところが、先に出願したデータ受信装置では、各ユーザが自発的に自分の関心のある記事を検索し、読むことが求められ、テレビのニュースの様な感覚で、重要な記事だけを短時間でわかりやすく読ませる機能は備えていなかった。
【０００７】
本発明は、このような状況に鑑みてなされたものであり、主要な記事を短時間で、簡単に、見ることができるようにするものである。
【課題を解決するための手段】
【０００８】
請求項１に記載の情報表示方法は、所定の情報を伝送路を介して伝送し、伝送した情報を受信装置で受信し、受信装置で受信した情報を記録媒体に記録し、記録媒体に記録した情報を表示装置に表示する情報表示方法において、複数の情報の見出しを表示し、見出しの中から所定のものを所定の数だけ指定し、指定された情報を自動的に順次表示することを特徴とする。
【０００９】
情報にはジャンルを付属させ、ジャンル毎に情報の指定が行われるようにすることができる。
【００１０】
指定された情報を自動的に順次再生している状態において、前または後の情報の表示が指令されたとき、表示中の情報より前または後の情報を表示した後、指定された情報を自動的に順次表示する状態に戻るようにすることができる。
【００１１】
指定された情報を自動的に順次再生している状態において、より詳細な情報の表示が指令されたとき、表示中の情報のより詳細な情報を表示した後、指定された情報を自動的に順次表示する状態に戻るようにすることができる。
【００１２】
指定された情報を自動的に順次再生している状態において、情報の見出しの表示が指令されたとき、情報の見出しを表示し、情報の見出しが表示されている状態において、情報の所定のものが個別に指定されたとき、指定された情報を表示した後、情報を自動的に順次再生する状態に戻るようにすることができる。
【００１３】
指定された情報を自動的に順次再生している状態において、情報の見出しの表示が指令されたとき、情報の見出しを表示し、情報の見出しが表示されている状態において、情報の属するジャンルが指定されたとき、指定されたジャンルの見出しを表示し、指定された情報の見出しが表示されている状態において、情報の所定のものが個別に指定されたとき、指定された情報を表示した後、指定された情報を自動的に順次再生する状態に戻るようにすることができる。
【００１４】
請求項７に記載の情報表示方法は、所定の情報を伝送路を介して伝送し、伝送した情報を受信装置で受信し、受信装置で受信した情報を記録媒体に記録し、記録媒体に記録した情報を表示装置に表示する情報表示方法において、情報に重要度を付属させ、所定のモードが指令されたとき、情報を重要度に対応する順番で自動的に順次再生し、情報を重要度に対応する順番で自動的に順次再生している状態において、より詳細な情報の表示が指令されたとき、表示中の情報のより詳細な情報を表示することを特徴とする。
【００１５】
情報を重要度に対応する順番で自動的に順次再生している状態において、前または後の情報の表示が指令されたとき、表示中の情報より前または後の情報を表示することができる。
【００１６】
情報を重要度に対応する順番で自動的に順次再生している状態において、より詳細な情報の表示が指令されたとき、表示中の情報のより詳細な情報を表示した後、重要度に対応する順番で情報を自動的に順次表示する状態に戻るようにすることができる。
【００１７】
情報を重要度に対応する順番で自動的に順次再生している状態において、情報の見出しの表示が指令されたとき、情報の見出しを表示し、情報の見出しが表示されている状態において、情報の所定のものが個別に指定されたとき、指定された情報を表示した後、情報を重要度に対応する順番で自動的に順次再生する状態に戻るようにすることができる。
【００１８】
情報を重要度に対応する順番で自動的に順次再生している状態において、情報の見出しの表示が指令されたとき、情報の見出しを表示し、情報の見出しが表示されている状態において、情報の属するジャンルが指定されたとき、指定されたジャンルの見出しを表示し、指定されたジャンルの情報の見出しが表示されている状態において、情報の所定のものが個別に指定されたとき、指定された情報を表示した後、情報を重要度に対応する順番で自動的に順次再生する状態に戻るようにすることができる。
【００１９】
情報は、マルチメディア化されたニュース記事であることができる。
【００２０】
請求項１に記載の情報表示方法においては、複数の情報の見出しの中から、所定のものが所定の数だけ指定され、そして、指定された情報が自動的に順次表示される。従って、ユーザが関心のある情報だけを簡単かつ確実に見ることが可能になる。
【００２１】
請求項７に記載の情報表示方法においては、複数の情報が重要度に対応する順番で自動的に順次再生される。そして、必要に応じて所定の指令を入力することで、より詳細な情報を見ることができる。従って、主要なニュースなどを、簡単かつ確実に見ることができ、特に関心のある情報については、より詳細に見ることができる。
【発明の効果】
【００２２】
以上のごとく、請求項１に記載の情報表示方法によれば、複数の情報の見出しを表示し、その中から所定のものを所定の数だけ指定させ、指定された情報を自動的に順次表示するようにしたので、多くの情報の中から受信する者が希望するものだけを効率的に見ることが可能になる。
【００２３】
請求項７に記載の情報表示方法によれば、情報に重要度を付属させ、その重要度に対応する順番で自動的に情報を順次再生するようにしたので、極めて多くの種類の情報の中から適切な情報を短時間で効率的に見ることが可能になる。また、必要に応じて、より詳細な情報を表示することができるようにしたので、関心の高い情報については、より詳細に知ることができ、より短時間で効率的に必要な情報だけを見ることが可能になる。
【発明を実施するための最良の形態】
【００２４】
図１は、本発明を適用したデータ放送システムの構成例を示している。このデータ放送システムによれば、例えばテキストデータを中心とするマルチメディアデータが放送され、受信側では、これを受信して記録媒体に記録し、所望するときにそこからデータを読み出して視聴することができるようになされている。
【００２５】
情報提供者としての新聞社は、全国からの記事が集められ、記憶される大型計算機１を有している。この大型計算機１に収集されたデータから最新のホットニュース記事を作成するため、所定のデータが編集装置（計算機）２に転送される。編集装置２では、テキストデータから、５０字乃至１００字程度のサマリー記事を作成する。次に、見出しや、関連する写真をディジタイズして圧縮したデータ、動画データを付加する。さらに、サマリー記事をアナウンサーに朗読させ、その音声をディジタルデータとしたデータ、及び記事表示画面のレイアウト、及び画面デザインを指定するデータを付与する。
【００２６】
図２に編集されたマルチメディアの記事データ情報のフォーマットを示す。同図は、記事に写真が一種類と動画が一種類付加された例とされている。この図に示すように、１つの記事データは、各記事固有の記事ＩＤ、記事の種類（ジャンル）、その記事が情報提供者から送られた送信日時、記事の重要度（ＰＩ）、記事の見出し、サマリー記事の文字数（テキスト文字数）、サマリー記事（サマリーテキスト）、写真ＩＤとサイズ、その写真の画面上の位置情報、写真データへのポインタ、動画ＩＤとサイズ、動画を表示する画面上の位置情報、及び動画データへのポインタ、テキストの音声読み上げデータへのポインタと、詳細記事データへのポインタにより構成される。詳細記事データへのポインタは、サマリー記事を読んでさらに詳しい記事が読みたくなった時に、詳細記事（記事本文）を参照する為の詳細記事データへのポインタである。
【００２７】
以上のように、受信側で見やすい形態に編集装置２で編集した、新聞データを核とするマルチメディア新聞記事データが、例えば地上のデータ回線を介してサービス運用会社３に伝送される。さらに、サービス運用会社３には、その他の情報提供者である出版社が提供する、例えば雑誌や書籍などのデータ、さらにはテレビ局が提供する番組（映像信号と音声信号で構成される）なども供給される。
【００２８】
なお、出版社が提供する雑誌や書籍のデータは、例えば上述した新聞社が提供するデータと同様に、テキストデータ、画像データ、および音声データを組み合わせたマルチメディアデータ（以下、適宜、マルチメディア雑誌／書籍データという）とすることが可能である。
【００２９】
サービス運用会社３に伝送されたデータは、そこから衛星（放送衛星（ＢＳ）または通信衛星（ＣＳ））４に伝送され、さらに衛星４から、受信側（例えば、各家庭における受信者（契約者）など）に伝送される。即ち、情報提供者が提供する情報（データ）は、衛星回線を介して、受信者側に伝送される。
【００３０】
サービス運用会社３は、例えば図３に示すような送信装置を有している。新聞社からのマルチメディア新聞データと、出版社からのマルチメディア雑誌／書籍データとは、図示せぬ多重化回路で多重化され、マルチメディアデータとして、エンコーダ２５に供給される。なお、サービス運用会社３において、例えばマルチメディア雑誌／書籍データは、必要に応じて、受信側で検索し易い形に編集された後、マルチメディア新聞記事データと多重化される。
【００３１】
エンコーダ２５には、マルチメディアデータの他、例えばデータ識別子（マルチメディアデータを識別するためのもの）などを含む共通情報、ユーザ管理情報などを含む個別情報、スクランブルキー、およびワークキーなどのデータが入力される。このうち、マルチメディアデータは、データスクランブラ１４に供給され、ＰＮ（ｐｓｅｕｄｏｎｏｉｓｅ）発生器１３が出力する疑似ランダム系列に対応してスクランブルされ、独立データチャンネル多重化回路１２に出力される。ＰＮ発生器１３が発生する疑似ランダム系列は、そこに入力されるスクランブルキーに対応して設定される。なお、このスクランブルキーは、例えば毎日などのように定期的に、あるいは不定期に変更することが可能である。
【００３２】
スクランブルキーは、ＰＮ発生器１３の他、関連情報暗号化回路１１に供給される。暗号化回路１１には、スクランブルキーの他、個別情報、共通情報、およびワークキーが供給される。暗号化回路１１では、ワークキーを用いて、スクランブルキー、個別情報、および共通情報が暗号化される。暗号化されたデータは、関連情報として、独立データチャンネル多重化回路１２に供給される。
【００３３】
独立データチャンネル多重化回路１２は、データスクランブラ１４より供給されるスクランブルされたマルチメディアデータと、暗号化回路１１より供給される関連情報とを多重化し、ディジタルチャンネル信号多重化回路１５に出力する。
【００３４】
以上の構成が、図４を参照して後述する独立データチャンネルにおけるデータを生成するためのエンコーダ２５を構成している。
【００３５】
また、ディジタルチャンネル信号多重化回路１５には、ディジタルチャンネル信号として伝送される音声信号（少なくともその一部は、上述したテレビ局から提供された番組の音声信号である）も入力される。ディジタルチャンネル信号多重化回路１５は、入力された音声信号（ディジタル音声信号）と、エンコーダ２５より供給されるデータとを多重化し、４相ＤＰＳＫ変調器１６に供給する。
【００３６】
４相ＤＰＳＫ変調器１６は、入力されたデータを４相ＤＰＳＫ変調し、映像信号／ディジタルチャンネル信号多重化回路１７に出力する。この映像信号／ディジタルチャンネル信号多重化回路１７には、また、テレビ局から提供された番組の映像信号が入力される。ディジタルチャンネル信号多重化回路１５に入力される音声信号がディジタル信号であるのに対して、映像信号／ディジタルチャンネル信号多重化回路１７に入力される映像信号はアナログ信号とされている。
【００３７】
なお、この映像信号は、将来的には、アナログ信号ではなく、ディジタル信号とし、情報提供者（図１においては、新聞社、出版社、およびテレビ局）から伝送されてくるデータを、すべてマルチメディアデータとして取り扱うようにすることが可能である。
【００３８】
また、映像信号は、スクランブルをかけた後、映像信号／ディジタルチャンネル信号多重化回路１７に入力するようにすることが可能である。この場合、映像信号のスクランブルに用いられたスクランブルキーは、例えば関連情報暗号化回路１１に入力され、そこで暗号化されて、関連情報に含められる。
【００３９】
映像信号／ディジタルチャンネル信号多重化回路１７は、入力される映像信号と、４相ＤＰＳＫ変調器１６より供給される信号とを周波数多重化し、ＦＭ変調器１８に出力する。ＦＭ変調器１８は、入力された信号で所定のキャリアをＦＭ変調し、アップコンバータ１９に出力する。アップコンバータ１９は、入力されたＦＭ信号を、ギガヘルツのオーダの周波数帯域（例えば、ＫｕバンドやＫａバンド）の信号に周波数変換する。アップコンバータ１９より出力されたＦＭ信号は、電力増幅器２０により電力増幅された後、送信アンテナ２１に供給され、そこから衛星４（図１）に送出される。
【００４０】
図４は、４相ＤＰＳＫ変調されたディジタルチャンネルデータのフォーマット（Ａモードのフォーマット）を表している。同図に示すように、横６４ビット、縦３２ビットの、合計２０４８ビットのデータにより、１フレームのデータが構成されている。最初の２ビット×３２ビットの範囲には、フレーム同期信号、制御信号およびレンジビット信号が配置（記録）されるようになされている。１フレームのデータは１ｍｓの時間で伝送されるため、伝送レートは２．０４８Ｍｂｐｓとなる。
【００４１】
フレーム同期信号は、各フレームの同期を取るための信号である。制御信号は、伝送モードがＡモードまたはＢモードのいずれのモードであるのかや、テレビジョン音声信号（テレビ局から提供された番組の音声信号（図４の音声１と２、または音声３と４に配置される）がステレオ信号であるのか、モノラル１チャンネルの信号であるのか、モノラル２チャンネルの信号であるのかなどを表すようになされている。
【００４２】
次に述べる音声１乃至４には、１４ビットで量子化された音声データのうちの、有効桁数の上位１０ビットが選択されて配置される。レンジビット信号は、この選択された音声データの範囲（レンジ）を表すようになされている。
【００４３】
図４に示すように、最初の２×３２ビットの範囲の次の１０×３２ビットの範囲、およびそれに続く１０×３２の３つの範囲には、それぞれ音声１乃至音声４の音声データが記録（配置）されるようになされている（但し、音声３と４には、音声以外のデータが配置される場合もある）。音声４のデータの次には、１５×３２ビットの範囲に、独立データチャンネルのデータが配置され、さらに最後の７×３２ビットの範囲には、横方向の誤り訂正符号が配置されている。
【００４４】
この図４に示す独立データチャンネルのデータは、所定のパケット単位で伝送される。例えば、１パケットは２８８ビットにより構成され、先頭の１６ビットはヘッダとされ、それに続く１９０ビットに実質的なデータが配置され、最後の８２ビットに、パケットの誤り訂正符号が配置される。ヘッダは、少なくともサービス識別符号と、その誤り訂正符号（チェックビット）を含み、サービス識別符号は、例えばそのパケットに配置されたデータが、関連情報およびマルチメディアデータのうちのいずれであるかを識別するための符号などを含んでいる。
【００４５】
独立データチャンネルには、図３に示した関連情報暗号化回路１１が出力する関連情報と、データスクランブラ１４が出力するマルチメディアデータとが、パケット単位で割り付けられ、そのパケットの割り付けられたデータ（そのデータが、関連情報であるか、またはマルチメディアデータであるか）に対応して、サービス識別符号が設定される。
【００４６】
以上のようなデータが、図１におけるサービス運用会社３から衛星４に伝送され、衛星４から、さらに例えば各家庭における受信者（契約者）に伝送される。各家庭（受信側）においては、衛星４から伝送されてきた信号が、室外装置（パラボラアンテナ）５により受信され、所定の中間周波信号（ＩＦ信号）に変換される。このＩＦ信号は、データ受信装置６に入力される。
【００４７】
データ受信装置６では、ＩＦ信号が復調され、さらにその復調信号から、契約したデータ（マルチメディアデータ）が取り出される。そして、このデータは、例えば光磁気ディスク（以下、ＭＯという）８などでなる、データ受信装置６の記録媒体用スロットに着脱可能な記録媒体（その他、例えば磁気ディスクなど）などに記録される。
【００４８】
ＭＯ８にデータを記録した後、ユーザ（受信者）は、所望するときに、そこから必要なデータを検索し、その検索したデータを出力させることができる。即ち、検索したデータを、例えばテレビジョン受像機やコンピュータディスプレイなどでなるモニタ７に表示させ、あるいは、図示せぬスピーカから出力させることができる。
【００４９】
また、ＭＯ８を、例えばポータブル端末や、デスクトップ型の端末（いずれも図示せず）などに装着し、任意の場所で、所望するデータを検索して表示（出力）させることもできる。
【００５０】
図５は、データ受信装置６の構成例を示している。データ受信装置６を構成する各ブロックは、バスを介してデータ（制御用のコマンドなどを含む）のやりとりを行うようになされており、また、ＣＰＵ，ＲＯＭ、およびＲＡＭで構成される処理回路３２により、各ブロックの制御が行われるようになされている。また、このデータ受信装置６は、リモコン９を操作することにより制御することができるようになされている。即ち、リモコン９を操作することにより、その操作に対応した信号が、入力装置３３を介して処理回路３２で受信され、処理回路３２では、リモコン９からの信号に対応した処理が行われる。
【００５１】
このデータ受信装置６においては、室外装置５からのＩＦ信号が、データ受信回路３１に供給される。データ受信回路３１では、入力されたＩＦ信号が復調される。さらに、データ受信回路３１は、処理回路３２の制御の下、受信者が契約したマルチメディアデータ（例えば、所定の新聞社のサマリー記事データとそれに付随するテキストデータ、画像データ、および音声データや、所定の雑誌、書籍のデータとそれに付随するテキストデータ、画像データ、および音声データなど）をデコードし、データ記録媒体コントロール回路３４に出力する。データ記録媒体コントロール回路３４は、データ受信回路３１からのデータを、ＭＯ８に記録する。
【００５２】
その後、リモコン９が操作され、その操作に対応する操作信号が、入力装置３３で受信されると、入力装置３３は、その操作信号を、処理回路３２に転送する。処理回路３２は、所定の操作信号を受信したとき、ＭＯ８に記録されたデータを、データ記録媒体コントロール回路３４に再生させ、ディスプレイインターフェイス３５に供給する。ディスプレイインターフェイス３５は、入力されたデータをビデオ信号に変換し、モニタ７に出力して表示させる（ＭＯ８から再生されたデータが音声データである場合には、そのデータは、図示せぬスピーカから出力される）。これにより、契約者は、契約した新聞や雑誌、書籍、さらにはそれに付随するテキスト、画像、音声を視聴することができる。
【００５３】
なお、データ受信回路３１では、サービス運用会社３から送られてくる（例えば、受信契約を結ぶことにより郵送されてくる）セキュリティモジュールである、例えばＩＣカード１０など（その他、メモリカードなど）よりセキュリティモジュールインターフェイス３６を介して供給されるデータを用い、後述するようにしてデータおよび関連情報の復号（デスクランブル）が行われる。
【００５４】
ＩＣカード１０は、後述する図６に示すように、ワークキーレジスタ１０ａおよび契約内容レジスタ１０ｂで構成されており、ワークキーレジスタ１０ａにはセキュリティ管理を行うための、例えばワークキー（図３の暗号化回路１１に入力されるワークキーと同一のもの）が、契約内容レジスタ１０ｂには受信者がサービス運用会社と交わした契約内容が、それぞれ記憶されている。セキュリティモジュールインターフェイス３６は、ＩＣカード１０に記憶されている情報の読み出しを行い、その結果得られるワークキーおよび契約内容をデータ受信回路３１に出力するようになされている。
【００５５】
また、モデム３７は、電話回線と接続されており、所定の通信処理を行うようになされている。即ち、モデム３７は、例えば処理回路３２の指示に従い、所定の電話番号を発呼し、さらに呼設定などの通信制御を行う他、処理回路３２から供給されるデータを変調して電話回線に出力するとともに、電話回線を介して入力される信号を復調して処理回路３２に供給するようになされている。
【００５６】
図６は、データ受信回路３１のより詳細な構成例を示している。室外装置５より入力されたＩＦ信号は、ＦＭ復調器７１に入力される。ＦＭ復調器７１は、ＩＦ信号を、ベースバンド信号に復調し、映像信号／ディジタルチャンネル信号分離回路７２に出力する。映像信号／ディジタルチャンネル信号分離回路７２は、入力された信号から映像信号とディジタルチャンネル信号とを分離する。映像信号は、図示せぬデコーダに供給される。デコーダでは、供給された映像信号の受信契約が結ばれている場合に、関連情報復号化回路８２から後述するようにして供給されるスクランブルキー（映像信号をスクランブルしたときに用いられたスクランブルキー）を用いての映像信号のデスクランブルが行われる。デスクランブルされた映像信号は、例えばリモコン９の操作に応じて、ディスプレイインターフェイス３５（図４）を介してモニタ７に出力されて表示される。
【００５７】
一方、映像信号／ディジタルチャンネル信号分離回路７２により分離されたディジタルチャンネル信号は、４相ＤＰＳＫ復調器７３に入力され、復調される。４相ＤＰＳＫ復調器７３より出力された信号は、ディジタルチャンネル信号分離回路７４に入力され、そこで音声信号（図３に示した音声１乃至４に配置された信号）と独立データチャンネルの信号とに分離される。音声信号は、それが上述した映像信号に対応するものである場合、例えばリモコン９の操作に応じて、スピーカに供給され、そこから音声として出力される。
【００５８】
また、ディジタルチャンネル信号分離回路７４は、分離した独立データチャンネル信号を、マルチメディアデータ／関連情報分離回路８１に出力する。マルチメディアデータ／関連情報分離回路８１は、入力された信号から、マルチメディアデータと関連情報とを分離し、マルチメディアデータをデータデスクランブラ８７に出力するとともに、関連情報を関連情報復号化回路８２に出力する。なお、この分離は、上述したサービス識別符号を参照することにより行われる。
【００５９】
復号化回路８２は、ＩＣカード１０よりセキュリティモジュールインターフェイス３６（図５）を介して供給されるワークキーを用いて、関連情報として入力されてきたスクランブルキー、個別情報、および共通情報を復号する。そして、スクランブルキーは、オン／オフ切換回路８５に出力され、また共通情報に含まれるデータ識別子、および個別情報に含まれるユーザ管理情報は、ダウンロード可否判定回路８３に出力される。
【００６０】
ダウンロード可否判定回路８３は、入力されたデータ識別子を、ＩＣカード１０よりセキュリティモジュールインターフェイス３６を介して供給される契約内容と比較する。この契約内容には、上述したように、あらかじめ契約されているマルチメディアデータのデータ識別子が含まれている。ダウンロード可否判定回路８３は、復号化回路８２より供給されたユーザ管理情報に、契約料金未納、その他の禁止条件が含まれていない限り、そこに入力される２つのデータ識別子が一致し、さらにその一致したデータ識別子が、ダウンロード要求設定回路８４に記憶されているとき、オン／オフ切換回路８５をオン状態に切り換える制御信号を出力する。これにより、復号化回路８２より出力されたスクランブルキーが、オン／オフ切換回路８５を介してＰＮ発生器８６に供給される。
【００６１】
ここで、ダウンロード要求設定回路８４には、例えばリモコン９を操作することによって、受信者（契約者）が契約したマルチメディアデータのうち、ダウンロードを希望するもののデータ識別子が、あらかじめ登録されている。従って、ダウンロード可否判定回路８３において、制御信号は、契約したマルチメディアデータであって、ダウンロードを希望するものが受信されたときに出力されることになる。
【００６２】
ＰＮ発生器８６は、入力されたスクランブルキーに対応して、疑似ランダム系列を発生する。データデスクランブラ８７は、このＰＮ発生器８６より供給された疑似ランダム系列を利用して、マルチメディアデータ／関連情報分離回路８１より供給されるマルチメディアデータをデスクランブルして出力する。データデスクランブラ８７から出力されたマルチメディアデータは、データ記録媒体コントロール回路３４を介してＭＯ８に供給されて記録される。
【００６３】
なお、関連情報復号化回路８２は、入力された関連情報の復号結果にテレビ局からの映像信号のスクランブルに用いられたスクランブルキーが含まれている場合、それをデコーダに出力する。これにより、デコーダでは、そのスクランブルキーを用いて、上述したように映像信号／ディジタルチャンネル信号分離回路７２から出力される映像信号がデスクランブルされる。
【００６４】
以上のようにして、マルチメディアデータがＭＯ８に記録された後は、上述したようにしてリモコン９を操作することにより、ユーザの所望する形で、モニタ７に表示させたり、あるいはスピーカから読み上げの音声や動画に付属した音声を出力させることが出来る。
【００６５】
次に、ＭＯ８に記録したデータを読み出す動作例について説明するが、この読み出しの為のモードとして、自動再生モードとしおり再生モードの２つのモードが設けられている。これらのモードにおいては、予め所定のジャンルを登録しておくと、その登録されているジャンルに属するデータのみが表示されるようになる。従って、各ユーザが関心のあるジャンルを予め登録しておくことで、全く興味がないジャンルについて無駄に表示が行われることを防止することができる。
【００６６】
図７は、ジャンル登録の処理例を表している。リモコン９を操作して、入力装置３３を介して、処理回路３２に対して、ジャンル登録の指令を入力すると、処理回路３２は、最初にステップＳ１において、ＭＯ８に記憶されている情報のジャンル（図２のフォーマットに示す種類）を読み出し、その一覧をモニタ７に表示させる。ユーザは、このジャンル一覧の表示を見ながら、ステップＳ２において、所望のジャンルを選択する処理を実行する。即ち、モニタ７に表示されているジャンル一覧の中から表示を希望するジャンルを指定する。処理回路３２は、指定されたジャンルを内蔵するＲＯＭに記憶する。
【００６７】
以上の処理が、ステップＳ３において、ジャンル登録終了の指令が入力されるまで、繰り返し実行される。
【００６８】
図７のジャンル登録処理においては、自動再生モードにおけるジャンルと、しおり再生モードにおけるジャンルを、それぞれ独立に指定することができる。
【００６９】
ジャンルは、例えば、トップ、総合、解説、政治、国際、経済、商況、家庭、ラジオ、スポーツ、地域、社会、テレビ、特集、天気、お知らせ、読書、その他のジャンルなどとすることができる。このようにジャンルを予め登録しておくと、自動再生モードを起動すると、登録したジャンルだけが自動的に再生される。また、しおり再生を起動すると、登録したジャンルの見出しの一覧画面が次々と表示され、その中から自分の読みたい記事をさらに選択することができる。
【００７０】
もちろん、このジャンルとして、予め用意されているジャンルの全てを選択することも可能である。この場合は、提供される情報の全てが表示されることになる。
【００７１】
以上のようにして、ジャンル登録処理を行った後、ＭＯ８に記録されている情報の再生を指令すると、処理回路３２は、図８のフローチャートに示す処理を実行する。即ち、最初にステップＳ１１において、自動再生としおり再生を選択する、例えば、図９に示すようなメニュー画面をモニタ７に表示する。図９に示すように、この画面においては、「おこのみコース」（自動再生）として指定されたジャンルと、「おすすめコース」（しおり再生）として指定されたジャンルが表示される。この実施例の場合、「おこのみコース」として、トップ、スポーツ、政治、社会のジャンルが指定されており、「おすすめコース」として、トップ、総合、解説、政治、国際、経済、商況、家庭、ラジオ、スポーツ、地域、社会、テレビ、特集、天気、お知らせ、読書、その他、のジャンルが指定されている。
【００７２】
さらに、図９の実施例においては、各コースの再生時間として、５分または１０分を選択することができるようになされている。例えば、「おこのみコース」として５分の時間を選択すると、トップ、スポーツ、政治、および社会の各ジャンルの記事を、５分間で再生するように処理回路３２により編集処理が行われる。１０分を指定した場合においては、これらの各ジャンルが１０分間で表示されることになる。
【００７３】
そこで、ステップＳ１２においては、図９に示す画面に表示されているボタンアイコンのいずれかが操作されるまで待機し、「おこのみコース」のボタンアイコンと、その再生時間を指定する５分または１０分のボタンアイコンが選択されると、ステップＳ１３に進み、自動再生処理が実行される。これに対して、「おすすめコース」のボタンアイコンと、５分または１０分の再生時間を選択するボタンアイコンが選択された場合においては、ステップＳ１４に進み、しおり再生が実行される。この自動再生としおり再生の詳細については、それぞれ図１０と図１３のフローチャートを参照して後述する。
【００７４】
次に、ステップＳ１５に進み、再生動作の終了が指令されたか否かが判定され、終了が指令されていない場合においては、ステップＳ１１に戻り、同様の処理が繰り返し実行される。再生動作の終了が指令された場合においては、処理が終了される。
【００７５】
次に、図１０のフローチャートを参照して、自動再生処理の詳細について説明する。最初にステップＳ２１において、予め登録したジャンルのうち、最初のジャンルの見出し画面が表示される。図１１は、この見出し画面の表示例を表している。この実施例は、トップのジャンルの見出し画面を表している。
【００７６】
図１１に示すように、この画面の記事情報の表示領域の左側には、「見出し」、「前の記事」、「次の記事」のボタンアイコンが表示され（但し、この表示状態においては、「前の記事」と「次の記事」のボタンアイコンは選択不可のため、実質的には表示されない）、一番上側には、この自動再生モードにおいて、再生すべきジャンルとして登録されている各ジャンルのボタンアイコン（この実施例の場合、トップ、スポーツ、政治、および社会のボタンアイコン）が表示される。
【００７７】
この実施例の場合、４つのジャンルのボタンアイコンのうち、いま選択されているトップのボタンアイコンが引っ込んで表示されているとともに、この表示は見出し画面の表示であるため、見出しのボタンアイコンが黄色く光って表示されている。
【００７８】
また、画面の右上には、自動再生としおり再生のボタンアイコンが表示される。いまの場合、「おこのみコース」（自動再生モード）が選択されているため、見出し画面表示中の場合、または記事画面表示中において自動再生状態が停止している場合を除いて、自動再生のボタンアイコンが、例えば黄色く光って表示されており、しおり再生のボタンアイコンは、常に灰色に表示されている。
【００７９】
また、これらのボタンアイコンの下側には、現在選択されているジャンル（いまの場合、トップ）の記事の見出しが表示されている。この実施例においては、トップの記事として、社会のジャンルの記事が１つ、経済のジャンルの記事が１つ、国際のジャンルの記事が２つ、そして、政治のジャンルの記事が１つ、表示されている。
【００８０】
以上の記事情報の表示領域の下方には、広告領域が設けられ、そこに広告情報が表示されている。この広告領域には、「日程紹介」や「広告索引」のボタンアイコンが表示されており、「日程紹介」のボタンアイコンを選択すれば、ここに表示されている旅行広告のより詳細な日程などを表示させることができるようになされている。また、「広告索引」のボタンアイコンを選択すれば、旅行、その他の広告の索引を表示させ、その中から、所望の広告をさらに選択することができるようになされている。
【００８１】
ステップＳ２１において、このように見出し画面が表示された後、所定の時間が経過すると、次にステップＳ２２に進み、ステップＳ２１で表示された見出しに表示された記事のうち、最初の記事の画面が表示される。この実施例の場合、図１１の一番上に表示されている「ソリブジン、臨床実験でも３人死亡」の記事が表示される。即ち、その記事のサマリー記事（サマリーテキスト）が表示されるとともに、そのテキストの音声読み上げが行われる。
【００８２】
ステップＳ２３においては、いま行われている音声の読み上げが終了したか否かが判定され、終了していなければステップＳ２４に進み、画面上に表示されているボタンアイコンのうち、いずれかが操作されたか否かが判定される。いずれのボタンアイコンも操作されていなければ、ステップＳ２２に戻り、それ以降の処理を繰り返し実行する。即ち、その記事の表示動作が継続される。
【００８３】
ステップＳ２３において、いま表示されている記事の音声読み上げが終了したと判定された場合においては、ステップＳ２５に進み、いま表示されている記事がそのジャンル（いまの場合、トップ）の最後の記事であるか否かが判定される。トップのジャンルの記事がまだ他にもある場合においては、ステップＳ２６に進み、トップのジャンルの次の記事が選択され、ステップＳ２２に戻り、その記事が表示される。即ち、この実施例の場合、次に「政府税調が「実質増税」答申固める」の記事を表示する。
【００８４】
そして、この記事の読み上げが終了したとステップＳ２３において判定されたとき、再びステップＳ２５に戻り、この記事がトップのジャンルの最後の記事であるか否かが判定され、最後の記事でなければ、ステップＳ２６に進み、次の記事「米が日韓に北朝鮮制裁決議草案を示す」の記事が選択される。そして、ステップＳ２２において、この記事が表示される。
【００８５】
以上のようにして、例えば第４番目の記事がステップＳ２６で選択されると、ステップＳ２２において、例えば図１２に示すような「北朝鮮の原子力開発の全体像を探る」の記事が表示される。
【００８６】
図１２に示すように、この表示画面の記事表示領域には、しおり再生、自動再生、見出し、前の記事、次の記事の各ボタンアイコンが表示されるとともに、さらに、記事全文のボタンアイコンも表示されている。また、広告領域においては、この広告がコンサートに関する広告であるため、そのコンサートの空席情報を知るためのボタンアイコンが、広告索引を表示するボタンアイコンとともに表示されている。
【００８７】
以上のようにして、ステップＳ２５において、トップのジャンルの最後の記事が表示されたと判定された場合においては、ステップＳ２７に進み、いま選択されているジャンルが自動再生の対象として登録されているジャンルの最後のジャンルであるか否かが判定される。最後のジャンルでない場合においては、ステップＳ２８に進み、次のジャンルが選択される。いまの場合、スポーツのジャンルが選択される。そして、ステップＳ２１に戻り、スポーツの見出し画面が表示され、さらにステップＳ２２に進み、そのスポーツのジャンルの最初の記事が表示される。
【００８８】
以下、同様にして、各ジャンルの各記事が順次自動的に表示される。
【００８９】
そして、ステップＳ２７において、自動再生の対象として登録されている最後のジャンル（この実施例の場合、社会）であると判定された場合においては、自動再生処理が終了される。
【００９０】
一方、例えば図１２に示すような個別の記事が表示されている状態において、ステップＳ２４で、いずれかのボタンアイコンが操作されたと判定された場合においては、操作されたボタンアイコンに対応して、ステップＳ２９，Ｓ３０，Ｓ３１，Ｓ３４，Ｓ３７のいずれかの処理が実行される。
【００９１】
ステップＳ２４において、前の記事のボタンアイコンが選択されたと判定された場合においては、ステップＳ２９に進み、前の記事の選択処理が実行される。即ち、例えば図１２に示す「北朝鮮の原子力開発の全体像を探る」の記事が表示されている状態において、前の記事のボタンアイコンが選択された場合においては、１つ前の記事である（図１１参照）「米が日韓に北朝鮮制裁決議草案を示す」の個別記事が表示される。
【００９２】
これに対して、ステップＳ２４において、次の記事のボタンアイコンが操作されたと判定された場合においては、ステップＳ３０に進み、次の記事選択処理が実行される。例えば図１２に示す記事が表示されている状態において、次の記事のボタンアイコンが選択された場合においては、「細川前首相の金銭問題で元秘書が証言」の記事が表示される。
【００９３】
ステップＳ２４において、記事全文のボタンアイコンが選択されたと判定された場合においては、ステップＳ３１に進み、その記事全文（より詳細な記事）の画面を読み出し、表示する処理が実行される。そして、ステップＳ３２において、その記事全文の読み上げが終了されたか否かが判定され、終了されるまで、その全文記事が表示される。読み上げが終了したとステップＳ３２において判定された場合においては、ステップＳ３３に進み、次の記事が選択され、ステップＳ２２に戻り、その記事が表示される。
【００９４】
なお、この記事全文の画面には、さらに関連する記事や情報を検索することができるように、所定のデータベースにアクセスするためのボタンアイコンを用意し、このボタンアイコンを操作した場合においては、そのデータベースへ直接アクセスするようにすることも可能である。
【００９５】
ステップＳ２４において、自動再生のボタンアイコンが選択されたと判定された場合においては、ステップＳ３４に進み、自動再生状態を停止させる。そして、自動再生のボタンアイコンを灰色の表示に変化させる。これにより、音声の読み上げも一時中断され、画面も静止画（ポーズ状態）となる。
【００９６】
この状態が、ステップＳ３５において、自動再生のボタンアイコンが再び操作されたと判定されるまで継続され、自動再生のボタンアイコンが再び操作されたと判定されたとき、ステップＳ３６に進み、自動再生のボタンアイコンを明るく表示し、ステップＳ２２に戻り、それ以降の処理を繰り返し実行する。
【００９７】
即ち、自動再生モードで個別の記事が表示されている状態において、自動再生のボタンアイコンを操作すると、いわゆるポーズ状態となる。そして、このポーズ状態は、自動再生のボタンアイコンを再び操作することで解除される。
【００９８】
ステップＳ２４において、見出しのボタンアイコンが操作されたと判定された場合においては、ステップＳ３７に進み、いま表示されている個別記事が属するジャンルの見出し画面が再び表示される。即ち、ステップＳ２１で表示された見出し画面と同一の見出し画面（図１１の見出し画面）が再び表示される。
【００９９】
そして、ステップＳ３８において、その見出し画面に表示されているボタンアイコンのうち、いずれかのボタンアイコンが操作されたと判定されるまで待機する。いずれかのジャンルを選択するボタンアイコンが選択されたと判定された場合においては、ステップＳ４０に進み、その指定されたジャンルを選択する処理が実行され、ステップＳ３７に戻り、その指定されたジャンルの見出し画面が表示される。例えば図１１に示すトップのジャンルの見出し画面が表示されている状態において、スポーツのボタンアイコンが選択された場合においては、スポーツの見出し画面が表示される。
【０１００】
ステップＳ３８において、いま表示されているジャンルの見出し画面に表示されている記事に対応するボタンアイコンが選択されたと判定された場合においては、ステップＳ３９に進み、その指定された個別の記事を選択する処理が実行される。そして、ステップＳ２２に戻り、その選択された記事の画面が表示される。
【０１０１】
なお、各記事の表示には、サマリー記事の他、記事に応じて付加された写真、動画、図面なども表示されるのは元よりである。
【０１０２】
また、自動再生モードを指定した場合における再生の順番は、各情報に対応して付属された重要度（図２）に基づいて決定される。重要度が同一の場合においては、時間的に先に伝送された情報が先に表示される。
【０１０３】
以上のようにして、自動的に各記事を順次再生している状態において、前の記事または次の記事を選択すれば、それぞれ前の記事または次の記事を表示した後、再び元の自動再生状態に戻ることができる。また、同様に、所定の記事の詳細を表示させた後も、自動的に元の自動再生状態に戻ることができる。自動再生状態において、一時的に見出し画面を表示させ、その画面から新たな記事を指定したり、新たなジャンルを指定し、そのジャンルの新たな記事を指定した場合においても、その記事の表示が終了すると、再び自動再生状態に戻る。
【０１０４】
次に、図１３のフローチャートを参照して、図８のステップＳ１４に示すしおり再生処理の詳細について説明する。最初に、ステップＳ７１において、所定のジャンルの最初の見出し画面が表示される。しおり再生の対象とされるジャンルとして、例えば図９に示すようなジャンルが指定された場合、最初のトップのジャンルの見出し画面が表示される。即ち、この実施例の場合、図１１に示すような見出し画面が表示されることになる。
【０１０５】
次に、ステップＳ７２に進み、ユーザは表示されている記事の中から再生を希望する記事を選択する。この記事を選択する処理がステップＳ７３において、選択操作が終了したと判定されるまで繰り返し実行される。例えば図１１に示すように、５つの記事が表示されている場合、この５つの記事の中から再生を希望する記事を指定する。
【０１０６】
そして、この指定処理が終了したとき、ステップＳ７４に進み、他のジャンルについても再生を希望する記事を指定するか否かを判定し、他のジャンルについてもその記事の選択を行いたい場合においては、ステップＳ７５に進み、新たなジャンルを選択指定する。例えば、総合のジャンルを指定する。すると、ステップＳ７１において、この総合のジャンルの見出し画面が表示される。そこで、同様にして、その総合のジャンルの見出し画面の中から、表示を希望する記事を選択する処理を実行する。
【０１０７】
以上のようにして、所望のジャンルを指定し、その指定したジャンルの中からさらに表示を希望する記事を指定する操作が終了したとき、ステップＳ７４からＳ７６に進み、最初に指定したジャンルの最初の記事が画面に表示される。このとき、自動再生における場合と同様に、サマリー記事、写真、動画、図面などが表示されるとともに、音声読み上げが行われる。ステップＳ７７においては、音声読み上げが終了したか否かが判定され、終了していなければステップＳ７８に進み、ボタンアイコンのいずれかが操作されたか否かが判定される。いずれのボタンアイコンも操作されていなければ、ステップＳ７６に戻り、それ以降の処理を繰り返し実行する。即ち、その記事の表示を継続する。
【０１０８】
ステップＳ７７において、読み上げが終了したと判定された場合、ステップＳ７９に進み、その記事が表示を希望した最後の記事であるか否かが判定される。最後の記事であれば、しおり再生処理が終了されるが、まだ他に表示していない記事が残っている場合においては、ステップＳ８０に進み、次の記事が選択され、その選択された記事がステップＳ７６において、画面に読み出され、表示される。
【０１０９】
以上のようにして、ステップＳ７１乃至Ｓ７５で指定した記事が順次自動的に再生される。
【０１１０】
一方、個別の記事が表示されている状態において、ステップＳ７８で、いずれかのボタンアイコンが操作されたと判定された場合においては、ステップＳ８１，Ｓ８２，Ｓ８３，Ｓ８６，Ｓ８９のいずれかの処理が実行される。
【０１１１】
これらのステップＳ８１以降において実行される処理は、図１０の自動再生処理におけるステップＳ２９乃至Ｓ４０における処理と基本的に同様の処理である。
【０１１２】
即ち、ステップＳ７８において、前の記事あるいは次の記事のボタンアイコンが操作されたと判定された場合においては、それぞれステップＳ８１またはＳ８２に進み、それぞれ前の記事または次の記事が選択され、その選択された記事がステップＳ７６に戻り、表示される。
【０１１３】
また、記事全文のボタンアイコンが選択されたと判定された場合においては、ステップＳ８３に進み、その記事の全文が表示され、ステップＳ８４において、その記事全文の読み上げが終了したと判定された場合においては、ステップＳ８５において、次の記事が選択され、ステップＳ７６に戻り、それ以降の処理が繰り返し実行される。
【０１１４】
しおり再生のボタンアイコンが操作されたと判定された場合においては、ステップＳ８６でしおり再生が一時的に中止され、しおり再生のボタンアイコンが明るい表示状態から灰色の表示状態に変更される。そして、ステップＳ８７において、しおり再生のボタンアイコンが再び操作されるまで待機し、操作されたとき、ステップＳ８８に進み、しおり再生のボタンアイコンを再び明るく表示し、ステップＳ７６に戻り、一時停止状態を解除して、再びしおり再生を開始する。
【０１１５】
ステップＳ７８において、見出しのボタンアイコンが選択されたと判定された場合においては、ステップＳ８９において、現在表示している記事の属するジャンルの見出し画面が読み出され、表示される。そして、ステップＳ９０において、その見出し画面に表示されているボタンアイコンのいずれかが操作されたか否かが判定され、ジャンルを指定するボタンアイコンが操作されたと判定された場合においては、ステップＳ９２に進み、その指定されたジャンルが選択され、さらに、ステップＳ８９において、その指定されたジャンルの見出し画面が表示される。
【０１１６】
ステップＳ９０において、個別の記事を選択するボタンアイコンが操作されたと判定された場合においては、ステップＳ９１に進み、その指定された個別の記事が選択され、ステップＳ７６において、その記事が表示される。
【０１１７】
以上においては、衛星を介して情報を配信する場合を例として本発明を説明したが、本発明はケーブル、その他の伝送路を介して情報を配信する場合にも適用することが可能である。
【図面の簡単な説明】
【０１１８】
【図１】本発明を適用したデータ放送システムの構成例を示す図である。
【図２】各記事データの構成を示す図である。
【図３】図１のサービス運用会社３が有する送信装置の構成例を示すブロック図である。
【図４】ディジタルチャンネルデータのフォーマットを説明する図である。
【図５】図１のデータ受信装置６の構成例を示すブロック図である。
【図６】図５のデータ受信回路３１の構成例を示すブロック図である。
【図７】図５のデータ受信装置６のジャンル登録処理を示すフローチャートである。
【図８】図５のデータ受信装置６の読み出し表示処理を示すフローチャートである。
【図９】図８のステップＳ１１における表示例を示す図である。
【図１０】図８のステップＳ１３における自動再生処理を示すフローチャートである。
【図１１】図１０のステップＳ２１における表示例を示す図である。
【図１２】図１０のステップＳ２２における表示例を示す図である。
【図１３】図８のステップＳ１４におけるしおり再生処理を示すフローチャートである。
【符号の説明】
【０１１９】
１  大型計算機，  ２  編集装置，  ３  サービス運用会社，  ４  衛星，  ５  室外装置，  ６  データ受信装置，  ７  モニタ，  ８  光磁気ディスク（ＭＯ），  ９  リモコン，  １０  ＩＣカード，  １１  関連情報暗号化回路，  １２  独立データチャンネル多重化回路，  １３  ＰＮ発生器，  １４  データスクランブラ，  １５  ディジタルチャンネル信号多重化回路，  １６  ４相ＤＰＳＫ変調器，  １７  映像信号／ディジタルチャンネル信号多重化回路，  １８  ＦＭ変調器，  １９  アップコンバータ，  ２０  電力増幅器，  ２１  送信アンテナ，  ２５  エンコーダ，  ３１  データ受信回路，  ３２  処理回路，  ３３  入力装置，  ３４  データ記録媒体コントロール回路，  ３５  ディスプレイインターフェイス，  ３７  モデム，  ７１  ＦＭ復調器，  ７２  映像信号／ディジタルチャンネル信号分離回路，  ７３  ４相ＤＰＳＫ復調器，  ７４  ディジタルチャンネル信号分離回路，  ８１  マルチメディアデータ／関連情報分離回路，  ８２  関連情報復号化回路，  ８３  ダウンロード可否判定回路，  ８４  ダウンロード要求設定回路，  ８５  オン／オフ切換回路，  ８６  ＰＮ発生器，  ８７  データデスクランブラ
【図１】
2006331431.tif 000003
【図２】
2006331431.tif 000004
【図３】
2006331431.tif 000005
【図４】
2006331431.tif 000006
【図５】
2006331431.tif 000007
【図６】
2006331431.tif 000008
【図７】
2006331431.tif 000009
【図８】
2006331431.tif 000010
【図９】
2006331431.tif 000011
【図１０】
2006331431.tif 000012
【図１１】
2006331431.tif 000013
【図１２】
2006331431.tif 000014
【図１３】
2006331431.tif 000015
【手続補正書】
【提出日】平成18年7月7日(2006.7.7)
【手続補正１】
【補正対象書類名】特許請求の範囲
【補正対象項目名】全文
【補正方法】変更
【補正の内容】
【特許請求の範囲】
【請求項１】
テキスト、画像、および音声が組み合わされ、ジャンルが付属されたデータを伝送路を介して受信装置で受信し、前記受信装置で受信した前記データを記録媒体に記録し、前記記録媒体に記録した前記データを表示装置に表示する情報表示方法であって、
前記受信装置において、前記記録媒体に記録したデータに付属された前記ジャンルを指定するステップと、
前記ジャンルが指定されたとき、指定された前記ジャンルに該当する前記データの見出しを一覧表示するステップと、
指定された前記ジャンルに属する前記データの見出しが一覧表示されている状態において、個別の前記データを指定するステップと、
指定された前記データに関する詳細な情報を表示するステップと
を有することを特徴とする情報表示方法。
【請求項２】
前記ジャンルは、トップ、総合、解説、政治、国際、経済、商況、家庭、ラジオ、スポーツ、地域、社会、テレビ、特集、天気、お知らせ、読書である
ことを特徴とする請求項１に記載の情報表示方法。
【手続補正２】
【補正対象書類名】明細書
【補正対象項目名】０００８
【補正方法】変更
【補正の内容】
【０００８】
請求項１に記載の情報表示方法は、テキスト、画像、および音声が組み合わされ、ジャンルが付属されたデータが伝送路を介して受信装置に受信され、受信装置で受信されたデータが記録媒体に記録され、記録媒体に記録されたデータが表示装置に表示される情報表示方法であって、受信装置において、記録媒体に記録されたデータに付属されたジャンルが指定され、ジャンルが指定されたとき、指定されたジャンルに該当するデータの見出しが一覧表示され、指定されたジャンルに属するデータの見出しが一覧表示されている状態において、個別のデータが指定され、指定されたデータに関する詳細な情報が表示されることを特徴とする。
【手続補正３】
【補正対象書類名】明細書
【補正対象項目名】０００９
【補正方法】変更
【補正の内容】
【０００９】
ジャンルは、トップ、総合、解説、政治、国際、経済、商況、家庭、ラジオ、スポーツ、地域、社会、テレビ、特集、天気、お知らせ、読書であるようにすることができる。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】変更
【補正の内容】
【００２０】
請求項１に記載の情報表示方法においては、受信装置において、記録媒体に記録されたデータに付属されたジャンルが指定され、ジャンルが指定されたとき、指定されたジャンルに該当するデータの見出しが一覧表示され、指定されたジャンルに属するデータの見出しが一覧表示されている状態において、個別のデータが指定され、指定されたデータに関する詳細な情報が表示される。従って、ユーザが関心のある情報だけを簡単かつ確実に見ることが可能になる。
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】変更
【補正の内容】
【００２２】
以上のごとく、請求項１に記載の情報表示方法によれば、受信装置において、記録媒体に記録されたデータに付属されたジャンルが指定され、ジャンルが指定されたとき、指定されたジャンルに該当するデータの見出しが一覧表示され、指定されたジャンルに属するデータの見出しが一覧表示されている状態において、個別のデータが指定され、指定されたデータに関する詳細な情報が表示されるようにしたので、多くの情報の中から受信する者が希望するものだけを効率的に見ることが可能になる。
【手続補正１７】
【補正対象書類名】明細書
【補正対象項目名】００２３
【補正方法】削除
【補正の内容】